【事件の表示】
　特許第６４６８８９９号発明「筆記具用インク組成物」の特許異議申立事件について、次のとおり決定する。
【結　論】
　特許第６４６８８９９号の請求項１ないし３に係る特許を維持する。
【理　由】
第１　手続の経緯
　特許第６４６８８９９号（以下「本件特許」という。）の請求項１〜３に係る特許についての出願は、平成２７年３月１８日に特願２０１５−５４８２５号として特許出願され、平成３１年１月２５日に特許権の設定登録がなされ、同年２月１３日に特許掲載公報が発行され、その特許に対し、令和元年８月６日に特許異議申立人であるシャチハタ株式会社（以下「申立人」という。）により特許異議の申立てがなされたものである。
　特許異議の申立て後の手続の経緯は次のとおりである。
　令和元年１０月　８日付け　取消理由通知
　　　同年１２月　４日　　　意見書（特許権者）
　　　同年１２月１６日付け　審尋
　令和２年　２月１２日　　　回答書（申立人）
　
第２　本件発明
　本件特許の請求項１〜３に係る発明（以下「本１発明」〜「本３発明」ともいう。）は、それぞれ、その特許請求の範囲の請求項１〜３に記載された事項により特定される次のとおりのものである。
　
「【請求項１】炭素数１〜３のアルコールと、酸化チタンと、ポリオキシエチレンアルキルアミンと、下記Ａ群の樹脂とを少なくとも含み、剪断速度１９．２／秒における粘度値（Ａ）と、剪断速度７６．６／秒における粘度値（Ｂ）における粘度値の比率〔（Ａ）／（Ｂ）〕が１．０５〜２．５であることを特徴とする筆記具用インク組成物。
　Ａ群：ケトン樹脂、アルキルフェノール（ノボラック）樹脂、マレイン酸樹脂、テルペンフェノール樹脂から選ばれる少なくとも１種
　【請求項２】前記ポリオキシエチレンアルキルアミンのＨＬＢ値が８〜１８であることを特徴とする請求項１記載の筆記具用インク組成物。
　【請求項３】請求項１又は２に記載の筆記具用インク組成物を搭載したことを特徴とする筆記具。」
　
第３　取消理由の概要
　令和元年１０月８日付けの取消理由通知で通知された取消理由の概要は、次の理由１からなるものである。
　
〔理由１〕本件特許の請求項１〜３に係る発明は、本件出願日前に日本国内又は外国において頒布された以下の刊行物に記載された発明に基いて、本件出願日前に当業者が容易に発明をすることができたものであるから、特許法第２９条第２項の規定により特許を受けることができない。
　甲第１号証：特開平６−３１３１４０号公報
　甲第２号証：特許第３５２５３７０号公報
　甲第３号証：ＮＩＫＫＯＬ　Ｐｒｏｄｕｃｔ　Ｐｒｏｆｉｌｅｓ，日光ケミカルズ株式会社，１９９９年６月発行，第３９頁
　甲第４号証：特開２００４−２７０８１号公報
　甲第５号証：２０１４−１６９３９５号公報
　甲第６号証：２００７−２０４５５５号公報
　参考文献Ａ：特開２０１１−９９０２７号公報
　参考文献Ｂ：特開２００３−３２１６３８号公報
　参考文献Ｃ：特開平１０−２１９１７０号公報
　よって、本件特許の請求項１〜３に係る発明に係る特許は、同法第２９条の規定に違反してなされたものであり、同法第１１３条第１項第２号の規定により取り消されるべきものである。
　
第４　当審の判断
１．引用刊行物の記載事項
　甲第１号証の刊行物には、次の記載がある。
摘記１ａ：請求項１
「【請求項１】（ａ）炭素数１〜３の脂肪族低級アルコール、及び
（ｂ）炭素数２又は３のグリコールと炭素数１〜３の脂肪族低級アルコールとのモノエーテルよりなる群から選ばれる少なくとも１種の有機溶剤に、
（ｃ）ケトン樹脂及びアルキルフエノール樹脂から選ばれる少なくとも１種の樹脂を溶解させると共に、
（ｄ）酸化チタンと、
（ｅ）微粉末シリカ及び微粉末炭酸マグネシウムよりなる群から選ばれる少なくとも１種の添加剤とを分散させてなる油性白色マーキングペン用インキ組成物。」
　
摘記１ｂ：段落０００８〜０００９
「【０００８】本発明による油性白色マーキングペン用インキ組成物においては、有機溶剤としては、（ａ）炭素数１〜３の脂肪族低級アルコール、及び（ｂ）炭素数２又は３のグリコールと炭素数１〜３の脂肪族低級アルコールとのモノエーテルよりなる群から選ばれる少なくとも１種が用いられる。上記炭素数１〜３の脂肪族低級アルコールとしては、メタノール、エタノール、ｎ−プロピルアルコール、イソプロピルアルコール等が好ましく用いられるが、特に、後三者が好ましく用いられる。…
　【０００９】本発明によるインキ組成物においては、これら有機溶剤は、インキ組成物に基づいて、５０〜７０重量％、好ましくは５５〜６５重量％の範囲で含まれる。インキ組成物における溶剤量が余りに多いときは、得られるインキ組成物が筆記に適する粘度をもたないうえに、所期の筆跡濃度を得ることができない場合がある。他方、溶剤量が余りに少ないときは、インキ組成物の粘度が高すぎて、筆記性が悪くなるほか、インキ組成物が保存性に劣るようになる。」
　
摘記１ｃ：段落００１１〜００１２
「【００１１】本発明によるインキ組成物は、色素として、酸化チタンが用いられる。酸化チタンは、種々の市販品が好適に用いられる。…
　【００１２】酸化チタンのインキ組成物における配合量は、用いる溶剤や筆跡の所要濃度等によつて、適宜に選択されるが、余りに配合量が多いときは、得られるインキ組成物において、インキ組成物の粘度が過度に高くなつたりして、筆記性や保存性等に劣るようになる。しかし、余りに少ないときは、インキ組成物として要求される隠蔽性に劣るようになる。通常、酸化チタンは、インキ組成物に基づいて、２５〜４５重量％の範囲で配合され、好ましくは３０〜３７重量％の範囲で配合される。」
　
摘記１ｄ：段落００１３〜００１４
「【００１３】本発明においては、インキ組成物には、酸化チタンをインキ組成物中によく分散させる分散剤としてと共に、非吸収性筆記面に筆記したとき、その筆記面上での筆跡がすぐれた耐摩擦強度を有し、更に、筆記時に適度の粘性と筆記板上への適度の付着性を有せしめるために、前記した有機溶剤に可溶性の樹脂として、ケトン樹脂及びアルキルフエノール樹脂から選ばれる少なくとも１種の樹脂が溶解して配合される。かかる樹脂としては、市販品を用いることができる。ケトン樹脂としては、例えば、ハロン８０、１１０（本州化学製）、ハイラツク１１０Ｈ（日立化成製）等を用いることができる。アルキルフエノール樹脂としては、例えば、タマノール５１０（荒川化学製）、ヒタノール２５０１（日立化成製）等を用いることができる。
　【００１４】このような樹脂の配合量が余りに多いときは、得られるインキ組成物の粘度が過度に高くなり、ペン先からのインキ組成物の流出性、即ち、筆記性が悪くなるほか、隠蔽率も低下する。しかし、余りに少ないときは、非吸収性筆記面に筆記したとき、その筆記面上での筆跡が耐摩擦強度において劣り、更に、インキ組成物として要求される適度の粘性をもたず、筆記性に劣ることとなる。」
　
摘記１ｅ：段落００１６、００１９及び００２３
「【００１６】本発明によれば、このように、インキ組成物が上記樹脂と共に、上記微粉末シリカ又は微粉末炭酸マグネシウムのような添加剤を含むために、吸収性筆記面に筆記したときに色が沈まないと共に、ペン先の中において色分かれを生じないので、濃色で且つ鮮明な発色を容易に得ることができる。…
　【００１９】本発明によるインキ組成物には、上記した成分に加えて、通常、インキ組成物に含まれる既に知られている種々の添加剤を含有させることができる。そのような添加剤としては、例えば、防腐剤、防かび剤、界面活性剤等を挙げることができる。…
　【００２３】かかる本発明によるインキ組成物においては、上記特定の樹脂と特定の微粉末添加剤との組合わせによつて、チクソトロピーインデツクスがその他の樹脂とアルミナ、ケイ酸アルミニウム、炭酸カルシウム、タルク等の微粉末の体質顔料との組合わせに比べて、１．３〜２倍（ＥＬ型、１０ｒｐｍ／５ｒｐｍ）も高い。」
　
摘記１ｆ：段落００２４、００２７、００２９及び００４５
「【００２４】…以下に本発明によるインキ組成物の配合例を実施例として示すが、本発明はこれら実施例により何ら限定されるものではない。尚、以下において、部を重量部を示す。また、粘度は２０℃における値である。…
　【００２７】実施例３
　メチルセロソルブ　　　　　　　　　　　　　　　　　　　３２．６部
　エタノール　　　　　　　　　　　　　　　　　　　　　　２０．０部
　アルキルフエノール樹脂（ヒタノール２５０１）　　　　　１０．２部
　微粉末シリカ（フアインシールＢ）　　　　　　　　　　　　１　　部
　　塗料添加剤（ＢＹＫ−３００）３）　　　　　　　　　　　０．２部
　　酸化チタン（ＫＲ−３８０）　　　　　　　　　　　　　３６　　部
（粘度：４５センチポイズ）…
【００２９】実施例５
　プロピレングリコールモノメチルエーテル　　　　　　３０．１部
　イソプロピルアルコール　　　　　　　　　　　　　　２５．５部
　ケトン樹脂（ハロン８０）　　　　　　　　　　　　　１０．２部
　炭酸マグネシウム（ＭＡ７０）　　　　　　　　　　　　１　　部
　塗料添加剤（ＢＹＫ−３００）　　　　　　　　　　　　０．２部
　酸化チタン（ＣＲ−９３）　　　　　　　　　　　　　３３　　部
（粘度：３０センチポイズ）…
　【００４５】（注）…３）ビツクケミ社製」
　
　甲第２号証の刊行物には、次の記載がある。
摘記２ａ：請求項３
「【請求項３】着色剤１〜３５重量％、水溶性極性溶剤２〜３５重量％を含み、ＨＬＢ値が８〜１２の範囲のノニオン系界面活性剤（ポリエチレングリコールモノラウレートを除く）を１〜３０重量％、残部が水及び調整用添加剤であり、粘度が２５〜１６０ｍ．Ｐａ．ｓ（ＥＭ型回転粘度計における回転数１００ｒｐｍでの値、２５℃）の範囲にあり、剪断減粘性指数０．１から０．６の範囲にあり、界面活性剤が微粒子状に分散状態にある相と、分子溶解状態にある相とが混在状態にある、剪断減粘性水性ボールペンインキ組成物。」
　
摘記２ｂ：段落００１０〜００１１及び００１３
「【００１０】本発明は前記したとおり、特定の界面活性剤の特定量を水性ビヒクル中に存在させて混和させることにより、剪断減粘性が発現され、ボールペンインキとしての適性と諸性能を満たす剪断減粘性インキが得られることを特徴とする。従来より開示されている剪断減粘性付与剤が、既述のとおり高分子化合物、樹脂、ガム類、又は、無機質微粒子であるのに対し、本発明にあっては、特定の低分子量の界面活性剤が効果的な剪断減粘性機能を発現させることを見出したことにある。更に詳細には、本発明者らはノニオン系界面活性剤のＨＬＢの値が８〜１２の範囲、即ち油溶性と水溶性の概略中間的な溶解性を示す界面活性剤が、所定の濃度以上で水媒体中に存在すると、媒体が剪断減粘性を示すという知見を得た。
　【００１１】本発明に適用される前記ＨＬＢ値が８〜１２の範囲のノニオン系界面活性剤が水媒体中で剪断減粘性を示す理由として、本発明者らは次のように考えている。ＨＬＢ値が８〜１２の範囲にある界面活性剤は親油性と親水性の中間的な性質を有しており、水媒体中で一部は分子状態に溶解し、一部は微細粒子状に分散しており、外観的には白濁乃至半透明の状態をとっている。かかる溶解相と分散相の二相状態にあっては分散相からなる微粒子を固定点とし、その周囲の溶解相が流動相として機能する結果、剪断力が低い場合には二相からなる三次元の網目構造が保持され、高い粘度を示す。一方、強い剪断力が作用すると、流動相が容易に移動するため、三次元の網目構造が一時的に弱まり、その結果、低い粘度を示すと推察される。…
　【００１３】更に、剪断減粘系の温度依存安定性の観点から、常温において液状又はペースト状の界面活性剤を用いると、温度依存性の少ない優れた剪断減粘性を付与することができる。かかる界面活性剤の構成上の特徴は、概して分子中の炭化水素基中の疎水基が、分岐炭化水素基、不飽和炭化水素基、芳香族炭化水素基、或いは炭素数が１２以下の飽和炭化水素基から構成されることによる。本発明における水媒体中における剪断減粘性の発現は、前記特定の界面活性剤の三次元網目構造に起因するものと考えられるが、前記界面活性剤分子が分子中に一個以上の水酸基を有する場合には、より安定で効果的な剪断減粘性を発現させることができる。即ち、より小さい剪断減粘指数を得ることができる。かかる分子中に一個以上の水酸基を有する界面活性剤は、水素結合による分子間相互作用により、より強固で温度的にも安定な三次元網目構造をとることができるため、低い剪断減粘指数、換言すれば、高いチクソトロピー性を必要とする場合には特に有効である。又、１分子中に２個以上の水酸基を有する界面活性剤がより好ましく、前記水酸基としては、アルコール性水酸基、燐酸酸性水酸基、フェノール性水酸基等が挙げられる。」
　
摘記２ｃ：段落００２６及び００３０
「【００２６】ポリオキシエチレンアルキルアミン類としては、下記のものが例示できる。ＰＯＥ（２〜５）ラウリン酸アミン、ＰＯＥ（２〜６）ミリスチン酸アミン、ＰＯＥ（２〜７）パルミチン酸アミン、ＰＯＥ（２〜８）ステアリン酸アミン、ＰＯＥ（２〜１０）オレイン酸アミン、ＰＯＥ（２〜７）イソステアリン酸アミン、ＰＯＥ（２〜７）リノール酸酸アミン、ＰＯＥ（２〜７）リシノール酸アミン、ＰＯＥ（２〜１０）ベヘニン酸アミン等が例示でき、これらの内から、１種又は２種以上の混合によるＨＬＢの値が８から１２の混合体として使用することできる。好ましくは、常温で液状もしくはペースト状のポリオキシエチレン脂肪酸アミンが温度安定に優れた剪断減粘性を示す。…
　【００３０】本発明のインキ組成物に用いる着色剤としては、…修正ペンに用いる酸化チタン等の白顔料…などを例示できる。」
　
摘記２ｄ：段落００３７〜００３８
「【００３７】…本発明のインキ組成物の剪断減粘性とは、静止状態あるいは応力の低い時は著しく高粘度で流動し難い性質を有しており、応力が増大すると低粘度化し良流動性を示すレオロジー特性を言う。チクソトロピー性あるいは疑似可塑性とも呼ばれる共通した液性を意味している。
　【００３８】本発明におけるインキ組成物は筆記時の高剪断応力下においては三次元構造が一時的に破壊されインキの粘度が低下し、ボール近傍のインキは筆記に適した低粘度インキとなり、ボールとボールハウスの間隙を毛細管力によって移動し、紙面に転移される。非筆記時には、ボール近傍も含めてすべてのインキの粘度が高くなり、インキの漏出を防止したり、インキの分離、逆流を防ぐことができる。又、インキ物性を経時的に安定に保つことができる。」
　
摘記２ｅ：段落００３９及び００４９
「【００３９】…。以下、実施例によって本発明をさらに具体的に説明するが、本発明はこの実施例によって何ら限定されるものではない。又、実施例における剪断減粘度指数（ｎ）は剪断応力値（Ｔ）及び剪断速度（ｊ）値の如き粘度径による流動学的測定から得られる実験式（Ｔ＝Ｋｊｎ：Ｋ及びｎは計算された定数である）にあてはめることによって計算されるｎ値を示す。尚、実施例中の配合数字は重量部を示す。…
　【００４９】実施例５…
　ポリオキシ（５）オレイルアミン　　　　　　　　　　　　　１１．８
　　　〔ＴＡＭＮＯ−５，日光ケミカルズ（株）製〕　　　　　　　　　…
得られたインキは、剪断減粘指数（ｎ）：０．４８、粘度（１００ｒｐｍ）：２９ｍ．Ｐａ．ｓ（２５℃）であった。」
　
摘記２ｆ：段落００６２
「【００６２】…本発明は、特定のノニオン系界面活性剤を特定量配合し、特定の水性液性状に構成することに所期の剪断減粘性を発現させて、ボールペンインキとして好適な適性を満たし、筆跡の線割れ、かすれ、ボテ現象等のない特性を有し、かつ経時的に安定な粘度特性を有しており、種々の着色剤を含む水性ボールペンインキとして実用性能を満たしている。又、着色剤として、諸種の顔料や染料が適用でき、多彩な色調を呈するボールペンを提供できる。」
　
　甲第３号証の刊行物には、次の記載がある。
摘記３ａ：第３９頁
「ポリオキシエチレンアルキルアミン・脂肪酸アミド
　含窒素非イオン界面活性剤で、弱カチオン性です。酸化エチレンの付加モル数が低いほどカチオン性は強くなります。負に荷電した表面に吸着する性質が強いので、顔料分散剤として適しています。
　ＮＩＫＫＯＬ　　　　　組成（化学名）　　　　…　
　ＴＡＭＮＯ−５　　ＰＯＥ（５）オレイルアミン　　」
　
　甲第４号証の刊行物には、次の記載がある（なお、対応する特許第４１１８０９４号公報の記載にあるように、甲第４号証の特許明細書の「せん断速度１０ｓ−１」と「せん断速度２００ｓ−１」との記載は「せん断速度１０ｓ−１」と「せん断速度２００ｓ−１」との記載に補正されている。）。
摘記４ａ：請求項１
「【請求項１】温度２０℃でのＥ型回転粘度計による粘度測定において、せん断速度２００ｓ−１のときの粘度が３〜１２ｍＰａ・ｓの範囲にあり、せん断速度１０ｓ−１のときの粘度／せん断速度２００ｓ−１のときの粘度で定義されるＴＩ値が１．２〜４の範囲にあると共に、温度２０℃での応力下の粘度測定において、応力が０．０１Ｐａのときの粘度が４５ｍＰａ・ｓ以上であり、応力が１０Ｐａのときの粘度が１２ｍＰａ・ｓ以下であることを特徴とする中芯式多色マーキングペン用水性顔料インク。」
　
摘記４ｂ：段落０００４、００２３〜００２４及び００４９〜００５０
「【０００４】また、多色マーキングペンにおいては、筆跡が堅牢性や隠蔽性にすぐれるところから、従来、着色剤として顔料インクが好んで用いられるが、反面、顔料インクは、経時的に中芯内で顔料が沈降して、筆跡に濃淡（色別れ）を生じたり、また、ペン先でインクが目詰まりを起こして、筆記のかすれを引起し、場合によっては、筆記を不可能とすることさえあった。…
　【００２３】…本発明のインクによれば、動的粘度は、従来のニュートン流体の性質を有するマーキングペン用インクと同じ程度に低いので、従来のマーキングペンと同様に筆記することができるが、不使用時には、静的粘度が動的粘度に比べて著しく高く、チキソトロピーを有するので、多色マーキングペン用インクとして用いるとき、インク供給体中で相互に混じり合うことがなく、相互に分離しており、そして、筆記すれば、グラデーション効果を有する筆跡を与えるのである。
　【００２４】このように、本発明によるインクは、温度２０℃におけるＥ型回転粘度計による粘度条件と温度２０℃における応力下の粘度条件（即ち、静的粘度と動的粘度に関する条件）の両方を満足することによって、経時的な色別れや顔料の沈降が起こらず、しかも、インク供給体におけるインクの混合を防止して、時間が経過しても、グラデーション効果が高い筆跡を安定して形成することができる。…
　【００４９】…トキメック社製Ｅ型粘度計ＥＬＤを用いて、２０℃において、せん断速度Ｄが１０Ｓ−１（１°３４’Ｒ２４コーンで２．５ｒｐｍの回転数で測定したときのせん断粘度）のときと、せん断速度Ｄが２００Ｓ−１（１°３４’Ｒ２４コーンで５０ｒｐｍの回転数で測定したときのせん断粘度）のときについて粘度を測定した。
　【００５０】【表１】
」
　
　甲第５号証の刊行物には、次の記載がある。
摘記５ａ：請求項２
「【請求項２】インク組成物の２５℃、剪断速度３８秒−１における粘度に対する剪断速度３．８秒−１における粘度の比が１．２〜４であることを特徴とする請求項１に記載の油性ボールペン用インク組成物。」
　
摘記５ｂ：段落０００３
「【０００３】インクにチキソトロピック性を付与する手段として、…無機化合物としては、シリカ、ベントナイト類等が使用されてきた。」
　
摘記５ｃ：段落００３４
「【００３４】本発明の油性ボールペン用インク組成物は、描線ににじみが少なく、且つ軽い書き味を実現するいわゆるゲルインクボールペン用インク組成物として好適に用いることができる。この場合、インク組成物の２５℃における、剪断速度３８秒−１での粘度に対する剪断速度３．８秒−１における粘度の比（３．８秒−１／３８秒−１）が１．２〜４であることが好ましい。粘度比が１．２より小さいと、特に粘度が低い場合において直流現象が発生しやすくなり、また顔料等を添加している場合には、顔料が沈降してしまう場合がある。粘度比が４を超えると、ボテが生じやすくなったり、インク追従性が低下して筆記に悪影響を及ぼし好ましくない。」
　
　甲第６号証の刊行物には、次の記載がある。
摘記６ａ：請求項１及び５
「【請求項１】少なくとも、着色剤、添加剤、および有機溶剤を含んでなる油性ボールペン用インク組成物であって、前記インク組成物がさらにビスウレア化合物を含むことを特徴とする油性ボールペン用インク組成物。…
　【請求項５】インク組成物の２５℃における剪断速度３８秒−１における粘度に対する剪断速度３．８秒−１における粘度の比が１．２〜４であることを特徴とする請求項１〜４のいずれか一項記載の油性ボールペン用インク組成物。」
　
摘記６ｂ：段落０００２及び００２４
「【０００２】インク中にある高比重粒子の沈降を抑制したり、静置時の顔料沈降を抑制するために、インクにチキソトロピック性を付与することがよく行われる。…
　【００２４】本発明の油性ボールペン用インク組成物は、チキソトロピック性付与剤として、ビスウレア化合物を含む。チキソトロピック性とは、揺変性ともいい、インク組成物中に連続的な網目構造を形成することにより、剪断破壊時は一旦流動するが、再び構造を回復し、見掛けの粘度を上昇する性質を言う。ボールペン用インクが高温保存される時にこの網目構造が破壊されずに安定に存在していることが必要である。」
　
摘記６ｃ：段落００３９、００４３、００４５〜００４６及び００５６
「【００３９】アルコール系溶剤としては、エタノール、ノルマルプロパノール、イソプロパノール、ブタノール、ベンジルアルコール、α−メチルベンジルアルコール、Ｎ−メチル２−ピロリドンロジンアルコール等が挙げられる。…
　【００４３】本発明で使用することができる顔料としては、…二酸化チタン顔料等の無機顔科…等あげられる。…
　【００４５】本発明のインク組成物では各種樹脂を使用してもよい。これらの樹脂は、インクの定着性向上、筆跡の裏写り防止の他、顔料等の分散剤としての機能や粘度調整、染料の溶解促進の為に添加するものである。樹脂としては、…マレイン酸樹脂、…テルペン−フェノール樹脂類…などが挙げられる。…
　【００４６】上述した成分に加えて、…長鎖アルキル基を有するノニオン性界面活性剤等を添加することができる。
　【００５６】【表１】
」
　
　参考文献Ａには、次の記載がある。
摘記Ａ１：請求項１及び５
「【請求項１】少なくとも着色剤、有機溶剤、水、ノニオン性界面活性剤を含有する油性ボールペン用インキ組成物であって、前記ノニオン性界面活性剤がアルキル基を有することを特徴とする油性ボールペン用インキ組成物。…
　【請求項５】前記油性ボールペン用インキ組成物に、オキシエチレンアルキルアミン、ポリオキシエチレンアルキルアミンのうち少なくとも１種以上を含有することを特徴とする請求項１ないし４の何れか１項に記載の油性ボールペン用インキ組成物。」
　
摘記Ａ２：段落００２０及び００２２
「【００２０】有機アミンについては、前記アルキル基を有するノニオン性界面活性剤と水を含有する油性ボールペン用インキ組成物中に、（−ＣＨ２−ＣＨ２−Ｏ）部位を有する有機アミンを含有すると、より潤滑効果が得られ易い。そのため、有機アミンとして、（−ＣＨ２−ＣＨ２−Ｏ）部位を有するオキシエチレンアルキルアミン、ポリオキシエチレンアルキルアミンを用いる方が好ましい。これ等は、単独又は２種以上混合して使用してもよい。…
　【００２２】また、有機アミンの含有量は、潤滑性や経時安定性を考慮すると、インキ組成物全量に対し、０．１〜１０．０質量％が好ましく、より好ましくは、１．０〜５．０質量％である。」
　
摘記Ａ３：段落００２９〜００３１
「【００２９】また、顔料については、…酸化チタン…等が挙げられる。…
　【００３０】本発明に用いる有機溶剤としては…メタノール、エタノール、１−プロパノール、２−プロパノール、イソプロパノ−ル…等のアルコール類…が例示でき、これらを１種又は２種以上用いることができる。…
　【００３１】また、…粘度調整剤として、ケトン樹脂…を適宜用いても良い。」
　
　参考文献Ｂには、次の記載がある。
摘記Ｂ１：請求項１
「【請求項１】少なくとも着色剤、有機溶剤及び樹脂を含む油性ボールペンインキ組成物において、炭素数８〜３０の脂肪酸と、下記一般式（Ｉ）で表されるポリオキシエチレンアルキルアミンから選ばれる少なくとも一種の化合物とを含有することを特徴とする油性ボールペン用インキ組成物。
【化１】
」
摘記Ｂ２：段落０００９〜００１４
「【０００９】本発明に用いる上記一般式（１）で表されるポリオキシエチレンアルキルアミンとしては、…インキの経時劣化を更に少なくする点、最適粘度にコントロールし易い点から…ポリオキシエチレンドデシルアミンの使用が望ましい。…
　【００１０】本発明において用いることができるポリオキシエチレンアルキルアミンの具体例としては、…アミート１０５、同３０８、同３２０〔花王社製〕…などを挙げることができる。
　【００１１】これらのポリオキシエチレンアルキルアミンの含有量は、…３０重量％を越えると、油性ボールペン用インキ組成物としての経時安定性や乾燥性など他の品質が損なわれることとなり、好ましくない。
　【００１２】本発明に用いる着色剤としては、…顔料としては、酸化チタン…などの無機系顔料…が挙げられる。…
　【００１３】本発明に用いる有機溶剤としては、通常の油性ボールペンインキに用いられている溶剤、すなわち、前記の着色剤を溶解又は分散し、かつ比較的高沸点であるものが使用される。…
　【００１４】本発明に用いる樹脂は、インキ組成物を高粘度に調製するためのものであり、…ケトン樹脂…などが用いられる。」
　
　参考文献Ｃには、次の記載がある。
摘記Ｃ１：段落００３９
「【００３９】本発明によれば、上記消去性付与剤と共に、オキシエチレンアルキルアミン、ポリオキシエチレンアルキルアミン（上記２者を併せて（ポリ）オキシエチレンアルキルアミンということがある。）、オキシエチレンアルキルジアミン、ポリオキシエチレンアルキルジアミン（上記２者を併せて（ポリ）オキシエチレンアルキルジアミンということがある。）及びアルキロールアミドから選ばれる少なくとも１種のアミン型又はアミド型界面活性剤を用いることによってはじめて、得られるインキ組成物の消去性に何ら有害な影響を及ぼすことなく、インキ組成物中のカーボンブラックの凝集を抑え、その平均粒子径を小さく維持したまま、安定化することができるので、インキ組成物中、カーボンブラックがインキ貯蔵室やペン先（チップ）で沈降することがなく、かくして、マーキングペンの長期間にわたる保管によっても、均一な濃度の筆跡を与えることができる。」
　
２．甲第１号証に記載された発明
　摘記１ａの「（ａ）炭素数１〜３の脂肪族低級アルコール、及び（ｂ）炭素数２又は３のグリコールと炭素数１〜３の脂肪族低級アルコールとのモノエーテルよりなる群から選ばれる少なくとも１種の有機溶剤に、（ｃ）ケトン樹脂及びアルキルフエノール樹脂から選ばれる少なくとも１種の樹脂を溶解させると共に、（ｄ）酸化チタンと、（ｅ）微粉末シリカ及び微粉末炭酸マグネシウムよりなる群から選ばれる少なくとも１種の添加剤とを分散させてなる油性白色マーキングペン用インキ組成物。」との記載、及び
　摘記１ｆの「部を重量部を示す。…実施例３　メチルセロソルブ３２．６部　エタノール２０．０部　アルキルフエノール樹脂（ヒタノール２５０１）１０．２部　微粉末シリカ（フアインシールＢ）１部　塗料添加剤（ＢＹＫ−３００）…０．２部　酸化チタン（ＫＲ−３８０）　３６部」との記載からみて、甲第１号証の刊行物には、
『（ａ）エタノール２０．０重量部、（ｂ）メチルセロソルブ３２．６重量部、（ｃ）アルキルフェノール樹脂１０．２重量部、（ｄ）酸化チタン３６重量部、（ｅ）微粉末シリカ１重量部、及び、塗料添加剤（ＢＹＫ−３００）０．２部からなる油性白色マーキングペン用インキ組成物。』についての発明（以下「甲１発明」という。）が記載されているといえる。
　
３．対比
　本件特許の請求項１に係る発明（以下「本１発明」ともいう。）と甲１発明とを対比する。
　甲１発明の「（ａ）エタノール２０．０重量部」は、炭素数２のアルコールであるから、本１発明の「炭素数１〜３のアルコール」に相当する。
　甲１発明の「（ｃ）アルキルフェノール樹脂１０．２重量部」は、本１発明の「下記Ａ群の樹脂」及び「Ａ群：ケトン樹脂、アルキルフェノール（ノボラック）樹脂、マレイン酸樹脂、テルペンフェノール樹脂から選ばれる少なくとも１種」に相当する。
　甲１発明の「（ｄ）酸化チタン３６重量部」は、本１発明の「酸化チタン」に相当する。
　甲１発明の「油性白色マーキングペン用インキ組成物」は、その「マーキングペン」が「筆記具」に該当することが明らかであるから、本１発明の「筆記具用インク組成物」に相当する。
　なお、甲１発明において「（ｂ）メチルセロソルブ３２．６重量部」及び「塗料添加剤（ＢＹＫ−３００）０．２部」が含まれることについては、本１発明の「とを少なくとも含み」との記載、並びに本件特許明細書の段落００２０の「グリコールエーテル系溶剤…を用いることができる。」との記載や、同段落００３６の表１の実施例１〜７において「ポリエーテル変性シリコーン」が用いられていることからみて、相違点を構成するとはいえない。
　
　してみると、本１発明と甲１発明は『炭素数１〜３のアルコールと、酸化チタンと、下記Ａ群の樹脂とを少なくとも含む、筆記具用インク組成物。
Ａ群：ケトン樹脂、アルキルフェノール（ノボラック）樹脂、マレイン酸樹脂、テルペンフェノール樹脂から選ばれる少なくとも１種』という点において一致し、次の（α）及び（β）の点において相違する。
　
（α）筆記具用インク組成物が、本１発明は「ポリオキシエチレンアルキルアミン」を含むのに対して、甲１発明は「ポリオキシエチレンアルキルアミン」を含むものではない点。
　
（β）剪断速度１９．２／秒における粘度値（Ａ）と、剪断速度７６．６／秒における粘度値（Ｂ）における粘度値の比率〔（Ａ）／（Ｂ）〕が、本１発明は「１．０５〜２．５」の範囲であるのに対して、甲１発明は当該「比率〔（Ａ）／（Ｂ）〕」の値が不明である点。
　
４．判断
（１）上記（α）の相違点について
ア．本１発明の「ポリオキシエチレンアルキルアミン」について
　本件特許明細書の段落００１８の「本発明に用いる樹脂は、上記ポリオキシエチレンアルキルアミンとの組み合わせによる相乗作用により、チキソトロピック性を発現させるものであり、このチキソトロピック性を発現せしめる樹脂であれば、特に限定されるものでないが、例えば、ケトン樹脂、アルキルフェノール（ノボラック）樹脂、マレイン酸樹脂、テルペンフェノール樹脂から選ばれる少なくとも１種が挙げられる。」との記載、及び
　同段落００２８の「このように構成される本発明の筆記具用インク組成物が、何故、チキソトロピック性を発現させて経時的なペン芯内分離を抑制し、再分散性も良好となるかは、定かではないが、酸化チタンの表面に吸着したポリオキシエチレンアルキルアミンと樹脂が相互作用することによりチキソトロピック性を発現し、また緩い凝集系を形成することで良好な再分散性を発現するためと推測される。」との記載からみて、
　本１発明は、本１発明の「Ａ群の樹脂」と「ポリオキシエチレンアルキルアミン」が「相互作用」することにより「チキソトロピック性を発現」し、経時的なペン芯内分離を抑制し、再分散性も良好となる「効果」が得られているものと解される。
　
イ．甲１発明と甲第２号証記載発明との組み合わせ
　甲１発明は、甲第１号証の段落００２３（摘記１ｇ）の記載にあるように「特定の樹脂と特定の微粉末添加剤との組合わせ」によって「インキ組成物」の「チクソトロピーインデックス」を好適化した発明であって、この「チクソトロピーインデックス」を好適化するための「微粉末添加剤」として「微粉末シリカ１重量部」を用いているものであるところ、甲１発明の「微粉末シリカ」という微粉末添加剤は、甲第２号証の段落００１０（摘記２ｂ）の「従来より開示されている剪断減粘性付与剤…無機質微粒子」との記載にある「無機質微粒子」の「剪断減粘性付与剤」に相当し、また、甲第５号証の段落０００３（摘記５ｂ）の「インクにチキソトロピック性を付与する手段」としての「シリカ」に相当する。
　そして、甲第２号証の段落００１０〜００１１（摘記２ｂ）には「従来より開示されている剪断減粘性付与剤」が「無機質微粒子」であるのに対し、甲第２号証記載発明にあっては、特定の「ＨＬＢの値が８〜１２の範囲」の「ノニオン系界面活性剤」が「効果的な剪断減粘性機能を発現」させ、剪断力が低い場合に高い粘度（本１発明の粘度Ａに相当）を示す一方、強い剪断力が作用すると低い粘度（本１発明の粘度Ｂに相当）を示すことが記載され、同段落００２６（摘記２ｃ）には、当該「ノニオン系界面活性剤」として「ポリオキシエチレンアルキルアミン類」を用いることにより「温度安定に優れた剪断減粘性」を示すことが記載され、同段落００３７〜００３８（摘記２ｄ）には「本発明のインキ組成物の剪断減粘性とは…チクソトロピー性…を意味」し、筆記時には「インキの粘度が低下」して「筆記に適した低粘度インキ」となり、非筆記時には「インキの粘度が高く」なり、インキの「漏出」や「分離」や「逆流」などを防ぎ、インキ物性を「経時的に安定に保つ」ことができるようになることが記載されている。
　しかしながら、甲１発明は「
油性
水性
　そして、乙第１号証〔平成１５年（行ケ）第５４２号「インクジェットインク組成物（ポリマー分散剤）」事件（審決取消）の判決公報〕の第８頁第３８〜４１行の「分散媒が水性か油性かによって，分散剤を使い分けることは，インクの技術分野における当業者の技術常識であるということができ，…分散媒が相違することにより，当然，異なる種類のものを使用しなければならず」との判示にもあるように、インクの技術分野における当業者の技術常識として、水性で有効な添加剤が、油性でも有効であると直ちに解することはできないので、油性の甲１発明に、水性の甲第２号証記載発明を適用することが、当業者にとって直ちに容易であるとはいえない。
　また、ポリオキシエチレンアルキルアミン類が、油性でも使用でき、なおかつ、剪断減粘性を示すといえる技術常識もない。
　よって、上記（α）の相違点は当業者が容易に想到し得たものではない。
　
ウ．甲第６号証及び参考文献Ａ〜Ｃについて
　甲第６号証の段落００５６（摘記６ｃ）には、着色剤として「酸化チタン」を用いたインク組成物に「ポリオキシアルキルアミン」を配合した「実施例６」のものが、その「７０℃ガラス瓶保存１ヶ月後」の「インクの状態」が「変化無し」の評価で、その「ペン体でのインク追従性」の「５０℃　１ヶ月後」の評価が「○」であることが記載されており、
　参考文献Ａ（摘記Ａ１〜Ａ３）には『着色剤（酸化チタン）、有機溶剤（エタノール）、粘度調整剤（ケトン樹脂）、ノニオン性界面活性剤（ポリオキシエチレンアルキルアミン）を含有する油性ボールペン用インキ組成物。』の「経時安定性」や「潤滑性」などを考慮して「オキシエチレンアルキルアミン」の量を好適化した発明が記載されており、
　参考文献Ｂ（摘記Ｂ１〜Ｂ２）には『着色剤（酸化チタン）、有機溶剤（通常の油性ボールペンインキに用いられている溶剤）、樹脂（ケトン樹脂）、及びアミート１０５、同３０８、同３２０〔花王社製〕などポリオキシエチレンアルキルアミンを含有する油性ボールペン用インキ組成物。』の「ポリオキシエチレンアルキルアミン」の種類と量を「経時劣化」や「最適粘度」や「経時安定性」などの観点から好適化した発明が記載されており、
　参考文献Ｃ（摘記Ｃ１）には「ポリオキシエチレンアルキルアミン」を用いることで、インキ組成物中の着色剤を「安定化」し、着色剤が「インキ貯蔵室やペン先（チップ）で沈降」することがなく「マーキングペンの長期間にわたる保管によっても、均一な濃度の筆跡を与えることができる」ことが記載されている。
　しかしながら、甲第６号証及び参考文献Ａ〜Ｃには、インキ組成物に「ポリオキシエチレンアルキルアミン」を配合することにより、特定の樹脂との組み合わせの相乗効果により「チクソトロピック性」を好適化できることについての明示的な記載が見当たらない。
　このため、甲１発明に、甲第６号証及び参考文献Ａ〜Ｃに記載の技術を組み合わせたとしても、本件特許明細書の段落００１８に記載された「本発明に用いる樹脂は、上記ポリオキシエチレンアルキルアミンとの組み合わせによる相乗作用により、チキソトロピック性を発現させる」という構成とその効果を導き出し得るとはいえない。
　よって、上記（α）の相違点は当業者が容易に想到し得たものではない。
　
（２）上記（β）の相違点について
ア．本１発明の比率〔（Ａ）／（Ｂ）〕について
　本件特許明細書の段落００２４〜００２５の「本発明の筆記具用インク組成物は、酸化チタンの経時的な沈降を防止する点から、２５℃、剪断速度１９．２／秒（５ｒｐｍ剪断速度）における粘度値（Ａ）は、５ｍＰａ・ｓ〜４０ｍＰａ・ｓ、…２５℃、剪断速度７６．６／秒（２０ｒｐｍ剪断速度）における粘度値（Ｂ）は、速書きした場合のインク追従性の点から、５ｍＰａ・ｓ〜２０ｍＰａ・ｓ…であることが望ましい。」との記載からみて、
　本１発明の「剪断速度１９．２／秒における粘度値（Ａ）と、剪断速度７６．６／秒における粘度値（Ｂ）における粘度値の比率〔（Ａ）／（Ｂ）〕」は、５ｒｐｍ剪断速度における粘度値Ａ（顔料の経時的な沈降を防止する観点での保存時粘度）／２０ｒｐｍ剪断速度における粘度値Ｂ（速書きした場合の観点での筆記時粘度）の比（粘度比Ａ／Ｂ）としてのチクソトロピーインデックス値（ＴＩ値）を実質的に意味しているものと解される。
　そして、本１発明は、この「保存時粘度」と「筆記時粘度」の比である「ＴＩ値」を好適な範囲に設定することで、本件特許明細書の段落００１０の「本発明によれば、チキソトロピック性を発現させて経時的なペン芯内分離を抑制し、再分散性も良好となるマーキングペン、サインペンなどに好適な筆記具用インク組成物及びこのインク組成物を搭載した筆記具が提供される。」との記載にある「効果」が得られているものと解される。
　
イ．実質的に同一か否かについて
　甲第１号証には、本１発明の「剪断速度１９．２／秒における粘度値（Ａ）と、剪断速度７６．６／秒における粘度値（Ｂ）における粘度値の比率〔（Ａ）／（Ｂ）〕が１．０５〜２．５であること」という特性パラメーターの値（ＴＩ値）について示唆を含めて記載がない。
　そして、甲第１号証の段落００２３（摘記１ｇ）には「本発明によるインキ組成物においては、上記特定の樹脂と特定の微粉末添加剤との組合わせによつて、チクソトロピーインデツクスがその他の樹脂とアルミナ、ケイ酸アルミニウム、炭酸カルシウム、タルク等の微粉末の体質顔料との組合わせに比べて、１．３〜２倍（ＥＬ型、１０ｒｐｍ／５ｒｐｍ）も高い。」との記載があるものの、甲第１号証の「
１０ｒｐｍ
５ｒｐｍ
５ｒｐｍ
２０ｒｐｍ
　また、令和元年１２月４日付けの意見書（特許権者）の第９頁の「甲１発明では、本件発明（ペン芯内分離の抑制の他、再分散性、流出性に優れる効果）とはその作用効果が相違する、良好な隠ぺい率と無機微粉末による摩擦強度（耐摩耗性）の発揮であり、…甲第１号証に基づく上記（β）の相違点に実質的な差異があるものと思料されます。」との主張をも斟酌するに、甲１発明の「油性白色マーキングペン用インキ組成物」の「比率〔（Ａ）／（Ｂ）〕」という特性パラメーターの値（ＴＩ値）を実際に測定した場合の実測値が、本１発明の「１．０５〜２．５」の範囲内にあるとはいえない。
　よって、上記（β）の相違点は実質的に同一であるとはいえない。
　
ウ．甲第４〜６号証との組み合わせについて
　甲第４号証（摘記４ａ〜４ｂ）には『せん断速度１０ｓ−１のときの粘度（２．５ｒｐｍの回転数で測定したときのせん断粘度）／せん断速度２００ｓ−１のときの粘度（５０ｒｐｍの回転数で測定したときのせん断粘度）で定義されるＴＩ値が１．２〜４の範囲にある、不使用時には、静的粘度が動的粘度に比べて著しく高く、チキソトロピーを有するので、経時的な色別れや顔料の沈降が起こらない、中芯式多色マーキングペン用水性顔料インク。』の発明が記載され、
　甲第５号証（摘記５ｃ）には「油性ボールペン用インク組成物」は「インク組成物の２５℃における、剪断速度３８秒−１での粘度に対する剪断速度３．８秒−１における粘度の比（３．８秒−１／３８秒−１）が１．２〜４であることが好まし」く、粘度比が１．２より小さいと「顔料が沈降してしまう場合」があり、粘度比が４を超えると「筆記に悪影響」を及ぼすことが記載され、
　甲第６号証（摘記６ａ〜６ｃ）には『着色剤（二酸化チタン顔料）、樹脂（マレイン酸樹脂、テルペン−フェノール樹脂など）、ノニオン性界面活性剤（ポリオキシエチレンアルキルアミン）および有機溶剤（エタノール）を含んでなる油性ボールペン用インク組成物であって、インク組成物の２５℃における剪断速度３８秒−１における粘度に対する剪断速度３．８秒−１における粘度の比が１．２〜４である、静置時の顔料沈降を抑制するために、インクにチキソトロピック性を付与した、油性ボールペン用インク組成物。』の発明が記載されている。
　しかしながら、甲第４〜６号証には、本１発明の「剪断速度１９．２／秒における粘度値（Ａ）と、剪断速度７６．６／秒における粘度値（Ｂ）における粘度値の比率〔（Ａ）／（Ｂ）〕が１．０５〜２．５であること」という特性パラメーター及びその数値範囲について示唆を含めて記載がない。
　そして、上記イ．において検討したように、甲１発明の「油性白色マーキングペン用インキ組成物」の「比率〔（Ａ）／（Ｂ）〕」という特性パラメーターの値（ＴＩ値）を実際に測定した場合の実測値が、本１発明の「１．０５〜２．５」の範囲内にあるとはいえないところ、本１発明と異なる良好な隠ぺい率と無機微粉末による摩擦強度（耐摩耗性）の発揮の観点からの物性を良しとする甲１発明のインキ組成物の物性（特性パラメーター）を、本１発明の「１．０５〜２．５」の範囲内のものに改変することに、動機付けや必然性があるといえる根拠は何ら見当たらない。
　よって、上記（β）の相違点は当業者が容易に想到し得たものではない。
　
（４）本１発明の効果について
　本件特許明細書の段落００３６の表１には「
」という試験結果が示されている。
　すなわち、本１発明の構成要件を具備する実施例１〜７のものは、これを具備しない比較例１〜４のものに比して、ペン芯内分離、再分散性、及び流出性の点で優れた効果を奏するものであることが理解できる。
　そして、甲第１〜６号証及び参考文献Ａ〜Ｃの全ての記載を精査しても、本１発明の構成要件を具備することにより、本１発明の「Ａ群の樹脂」と「ポリオキシエチレンアルキルアミン」の相互作用による「チキソトロピック性」が発現され「経時的なペン芯内分離を抑制し、再分散性も良好となるマーキングペン、サインペンなどに好適な筆記具用インク組成物」が提供されるという格別顕著な作用効果を当業者が容易に予想できるといえる具体的な根拠は何ら見当たらない。
　このため、本１発明に、甲第１〜６号証及び参考文献Ａ〜Ｃから予測し得ない格別の効果がないとはいえない。
　
（５）申立人の回答書の主張について
　令和２年２月１２日付けの回答書の第５〜６頁において、申立人は『特許権者は、本件特許発明は「チキソトロピック性を発現させて経時的なペン芯内分離を抑制し、再分散性も良好となるという格別顕著な効果を有する」と述べているが、これらは筆記具用インクとして当然求められる性能であり、格別顕著な性能ではない。前記したように、甲４には「本発明によるインクは、温度２０℃におけるＥ型回転粘度計による粘度条件と温度２０℃における応力下の粘度条件（即ち、静的粘度と動的粘度に関する条件）の両方を満足することによって、経時的な色別れや顔料の沈降が起こらず」と記載している。この記載は、「チキソトロピック性を発現させて経時的なペン芯内分離を抑制し、再分散性も良好」とすることが、格別顕著な効果ではないことを示している。』と主張している。
　しかしながら、甲第４号証の請求項１（摘記４ａ）の「中芯式多色マーキングペン用
水性
　このため、上記回答書の主張は採用できない。
　
（６）本１発明の進歩性についてのまとめ
　以上総括するに、本１発明は、甲第１〜６号証及び参考文献Ａ〜Ｃに記載された発明に基づいて、当業者が容易に発明をすることができたものであるとはいえないから、特許法第２９条第２項の規定により特許を受けることができないものに該当するとはいえない。
　
５．本２〜本３に係る発明について
　本２〜本３発明は、本１発明を直接又は間接的に引用し、さらに限定したものである。
　してみると、本１発明の進歩性が甲第１〜６号証及び参考文献Ａ〜Ｃによって否定できない以上、本２〜本３発明が、甲第１〜６号証及び参考文献Ａ〜Ｃに記載された発明に基づいて当業者が容易に発明をすることができたものであるとはいえず、特許法第２９条第２項の規定により特許を受けることができないものに該当するとはいえない。
　
６．取消理由通知において採用しなかった特許異議申立理由について
　申立人が主張する申立理由（進歩性）は、本１〜本３発明は、甲第１〜６号証に記載された発明に基づいて容易に発明をすることができたものであるから、特許法第２９条第２項（同法第１１３条第２号）に違反するというものである。
　そして、申立人の申立理由（進歩性）は、上記第３〔理由１〕に示したとおり取消理由通知において採用されているから、取消理由通知において採用しなかった特許異議申立理由に該当しない。
　
第５　まとめ
　以上総括するに、取消理由通知に記載した取消理由並びに特許異議申立人が申し立てた理由及び証拠によっては、本１〜本３発明に係る特許を取り消すことはできない。
　また、他に本１〜本３発明に係る特許を取り消すべき理由を発見しない。
　よって、結論のとおり決定する。
【異議決定日】
令和２年３月１０日（２０２０．３．１０）